(57)【要約】  本発明は、電気コネクタにおいて使用されるためのソケットハウジング及びプラグハウジングに関する。ソケットハウジングの接続面は凹所を有し、その凹所のベースに１個以上のガイドコーンが形成され、ガイドコーンが接続面の外側表面をソケットハウジングの電気コンタクトが収容される１個以上の対応する挿入チャネルに接続する。プラグハウジングは突起を含み、その突起上にコンタクトピンが配置される。突起は、それがソケットハウジングの接続面の凹所に入るように断面の形状が設定される。接続ピンがソケットハウジングの接続面上に直接には形成されず、突起上に形成されるので、従来のピンの長さよりも短い長さのピンでさえ、ソケットハウジングの電気コンタクトに容易に到達することができ、信頼性のある電気接続を確立できる。
2014531724.tif 000002
【特許請求の範囲】
【請求項１】
電気コンタクト用ハウジングに使用される接続アセンブリ（１００，１１０）であって、
前記接続アセンブリは、コンタクトピンの挿入用の少なくとも一つのガイドコーン（１３０）を備え、
前記ガイドコーン（１３０）は、前記接続アセンブリ（１００，１１０）の接続面（１１１）の凹所（１２０）に配置され、
前記凹所（１２０）は、雄コンタクト用ハウジングの対応する突起と連結されることができることを特徴とする接続アセンブリ（１００，１１０）。
【請求項２】
更に、電気コンタクト（２３０，２３１）を収容するのに適する内側ハウジング（２００）と、前記内側ハウジング（２００）への組み付けに適する外側ケーシング（１１０）とを備え、
前記凹所（１２０）と前記ガイドコーン（１３０）は、前記外側ケーシング（１１０）の接続面（１１１）に形成されることを特徴とする請求項１に記載の接続アセンブリ（１００）。
【請求項３】
前記内側ハウジング（２００）は、少なくとも一つの挿入チャネル（２２０）を備え、
前記挿入チャネル（２２０）のエントリー孔（２２１）が前記少なくとも一つのガイドコーン（１３０）と整列していることを特徴とする請求項２に記載の接続アセンブリ（１００）。
【請求項４】
前記少なくとも一つのコンタクト搬送チャネル（２２０）を囲む前記内側ハウジング（２００）のエントリー面（２１０）の一部が実質的に平坦な表面を有することを特徴とする請求項３に記載の接続アセンブリ（１００）。
【請求項５】
前記接続アセンブリ（１００，１１０）は、少なくとも二つの隣接するガイドコーン（１３０）を備え、
前記ガイドコーン（１３０）間の前記接続面（１１１）の厚みが前記ガイドコーン（１３０）を囲む前記接続面（１１１）の厚みよりも少ないことを特徴とする請求項１乃至４のいずれか一項に記載の接続アセンブリ（１００，１１０）。
【請求項６】
更に、前記雄コンタクト用ハウジング上に相手部品へ連結するのに適する少なくとも一つの安全要素（１１３）を備えることを特徴とする請求項１乃至５のいずれか一項に記載の接続アセンブリ（１００，１１０）。
【請求項７】
前記安全要素（１１３）が溝又は突起であることを特徴とする請求項６に記載の接続アセンブリ（１００，１１０）。
【請求項８】
前記外側ケーシング（１１０）は、更に、二つの相互に向かい合う側壁（１１２）を備え、
前記二つの側壁（１１２）の各々が機械的極性付与要素（１４０）を有することを特徴とする請求項２乃至６のいずれか一項に記載の接続アセンブリ（１００）。
【請求項９】
前記凹所（１２０）は実質的に断面が台形であることを特徴とする請求項１乃至５のいずれか一項に記載の接続アセンブリ（１００，１１０）。
【請求項１０】
更に、前記コンタクト搬送チャネル（２２０）の内側に配置され且つ対応する雄コンタクト用ハウジングの前記コンタクトピンと電気接続を確立するのに適する電気コンタクト（２３０，２３１）を備えることを特徴とする請求項３乃至９のいずれか一項に記載の接続アセンブリ（１００）。
【請求項１１】
コネクタで使用されるための雄コンタクト用ハウジング（３００）であって、
前記ハウジングは、
電気コンタクト用ハウジングの接続面の対応する凹所へ連結されることができる突起（３２０）を有する接続表面（３１１）と、
前記電気コンタクト用ハウジングの挿入チャネルに挿入されることができる少なくとも一つの雄コンタクト（３３０）と
を備え、
前記少なくとも一つの雄コンタクト（３３０）が前記接続表面（３１１）の前記突起（３２０）に配置されることを特徴とするハウジング（３００）。
【請求項１２】
前記電気コンタクト用ハウジングの相手部品と連結するのに適する少なくとも一つの安全要素（３１３）を備えることを特徴とする請求項９に記載のハウジング（３００）。
【請求項１３】
前記安全要素（３１３）が溝又は突起であることを特徴とする請求項１１に記載のハウジング（３００）。
【請求項１４】
前記接続表面（３１１）の前記突起（３２０）は実質的に断面が台形であることを特徴とする請求項１０乃至１２のいずれか一項に記載のハウジング（３００）。
【請求項１５】
電気回路用コネクタであって、
前記コネクタは、請求項１乃至１０のいずれか一項に記載の接続アセンブリ（１００）と、請求項１１乃至１４のいずれか一項に記載の雄コンタクト用ハウジング（３００）とを備えることを特徴とする電気回路用コネクタ。
【発明の詳細な説明】
【技術分野】
【０００１】
本発明は、電気コネクタに関する。特に、本発明は、電気コンタクト用ハウジングで使用される接続アセンブリに関し、前記接続アセンブリは、コンタクトピンの挿入のためのガイドコーンを備える。また、本発明は、コンタクトピン用ハウジングに関し、前記ハウジングは、電気コンタクト用ハウジングを介して接続アセンブリへ連結されるのに適するピンを備える。
【背景技術】
【０００２】
コネクタは、通常プラグと呼ばれるコンタクトピン用ヘッダーと、ソケットと呼ばれ、そのプラグへ連結されるのに適する電気コンタクト用ハウジングとを備える。従来の設計に従えば、コンタクトピンは、表面が実質的に平らであるソケットの接続面に沿って配置されている。ピン用ヘッダーの相手部品として使用される電気コンタクト用ハウジングは、コンタクトピンに対応して配置された１個以上の挿入孔を備える接続面を有する。そのような孔は、コンタクトピンの挿入を容易にするように通常漏斗状であり、電気コンタクト用ハウジングの接続面の実質的に平らな表面に配置される。
【０００３】
電気コンタクト用ハウジングの壁の厚みは、機械的ストレス及び熱的ストレスに対する抵抗や他の物理的制約のような特定の要求を満足するように選択される。従来技術により既知のソケット用ハウジングの接続面の厚みは、通常、略０．７０ｍｍから０．８０ｍｍまでの幅がある。加えて、コネクタのソケットとプラグが完全に接続されると、安全突起がソケットの接続面とプラグの接続面との間の接触を防止する。ソケットハウジングの接続面とプラグハウジングの接続面との間の距離は、一般的に、０．７０ｍｍと０．８０ｍｍの範囲内である。
【０００４】
通常、ソケットの接続ピンとプラグの電気コンタクトとの間の確実で永続的な接続を確保するために、ピンと電気コンタクトとの間の最小ブラシ表面（有効接触面）が確保される。一般的に、必要な最小ブラシ表面は１ｍｍである。ピンと電気コンタクトとの間の最小保証ブラシ表面を得るために、ヘッダーは、略８ｍｍ又はそれを越える長さを有するピンを備えるように設計される。
【０００５】
上述のコネクタハウジングの不利な点は、電気コンタクトとピンとの間の信頼できる接続を確保するために、ピンが極端に長い必要があることである。そのような寸法のピンは接続作業中及びその後に過剰な撓みを受ける。これは、ピンをストレスに曝し、これがピンを破壊し、電気コンタクトの品質と信頼性を低下することになる。加えて、ピンの挿入の角度での何らかの誤差の影響がピン自体の長さにつれて増加する。その結果、コネクタの接続の許容誤差が大きく減少されなければならず、それが、ピン用ヘッダーを相手部品へ向かって押し込むために使用されるレバー機構のようなコネクタの追加のコンポーネントの設計を複雑にし、従って、それらの追加のコンポーネントのコストを増加する。
【発明の概要】
【発明が解決しようとする課題】
【０００６】
従って、本発明の目的は、コネクタ、及び特に、経済的で汎用性があり、且つピンの撓みとピンの挿入の角度での誤差によって引き起こされるピンの撓み及び影響を最小にするのを可能とし、他方、ピンと電気コンタクトとの間のブラシ接触を維持する、コンタクトピン用ハウジング及びコンタクトアセンブリ用ハウジングの設計を開発することである。
【課題を解決するための手段】
【０００７】
この目的は、ヘッダーのピンとコンタクトアセンブリに配置された対応する電気コンタクトとの間のブラシ接触を減少することなくピンの長さを減少するようにピン用ハウジングの構造と対応する電気コンタクト用ハウジングの構造を変更することによって達成される。
【０００８】
特に、有利な実施形態に従うと、本発明は、電気コンタクト用ハウジングにおいて使用されるべき接続アセンブリに関する。この接続アセンブリは、少なくとも一つのコンタクトピン、即ち、より一般的には、雄コンタクトの挿入用ガイドコーンを備え、そこでは、ガイドコーンは、接続アセンブリの接続面の凹所に配置されている。この凹所は、雄コンタクト用ハウジングの対応する突起と連結されることができる。
【０００９】
この設計によって、長さが減少された、コンタクトピンやコンタクトフィンのような雄コンタクトを有する相手部品を使用することが可能となり、同時に、信頼できる電気接続を達成するために必要な、ピンと電気コンタクトとの間の最小ブラシ表面を確保できる。長さが減少されたピンや舌部を有する相手部品を使用することの可能性は、電気コンタクトの品質に関する好影響を有し且つ不適切な挿入の角度によって引き起こされる悪影響を大きく減少する。接続アセンブリは、接続面と雌コンタクトハウジングを備えることができ、又は内側ハウジングと外側ケーシングの使用を見込む既知の設計のコンタクト用ハウジングへ組み付けられるべきケーシングであってもよい。従って、本発明の接続アセンブリは、既に使用されている雌コンタクト用ハウジングを更新するために使用されることができる。
【００１０】
更なる実施形態に従って、接続アセンブリは、電気コンタクトを収容するのに適する内部ハウジングとその内部ハウジングに組み付けられるのに適する外部ケーシングを備えることができ、そこでは、凹所とガイドコーンが外部ケーシングの面に形成される。
【００１１】
この実施形態では、凹所とエントリーコーンを備える接続面は、外側ケーシングに形成される。この設計は、コンタクト用内側ハウジングと外側ケーシングを使用する既知のコネクタでの使用に容易に適合されることができる。更に、この設計は、より汎用的であり、且つ接続アセンブリを扱うことをより容易にする。これは、サイズが減少されたコネクタを必要とする用途において特に有利である。従って、本発明は、二つの部品から形成されたコネクタを使用することを可能とし、従って、前記コネクタは、汎用性があり且つ扱いが容易で、同時に、接続アセンブリの面の全体の厚み、従ってこのコネクタの相手部品のピンの長さを減少することを可能とし、他方、接続アセンブリのコンタクトと相手部品のピンとの間の接触エリアを維持することができる。
【００１２】
内側ハウジングは、少なくとも一つの挿入チャネル又はコンタクト搬送チャネルを備え、この挿入チャネルのエントリー孔は前記少なくとも一つのガイドコーンと整列している。
【００１３】
本発明の有利な実施形態では、前記少なくとも一つの挿入チャネルを囲む内側ハウジングの面の一部が実質的に平らな表面を有する。
【００１４】
このように、コンタクト搬送チャネルは、ガイドコーンの孔と一致するように内側ハウジングのエントリー表面にエントリー孔を介して延在している。このように、雄コンタクトがコンタクト搬送チャネルに配置された電気コンタクトと接触できる前に雄コンタクトが延出して通過しなければならない厚みを減少することができる。
【００１５】
本発明の更なる実施形態で、接続アセンブリは、少なくとも二つの隣接するガイドコーンを備え、これらのガイドコーン間の接続面の厚みは、ガイドコーンを囲む接続面の厚みよりも少ない。
【００１６】
本発明の有利な実施形態では、接続アセンブリは、更に、雄コンタクト用ハウジングの相手部品に連結されるのに適する少なくとも安全要素を備える。
【００１７】
この安全要素は、溝又は突起であってもよい。
【００１８】
本発明の有利な実施形態では、外側ケーシングは、二つの相互に向かい合った側壁を備え、これら二つの壁の各々が機械的極性付与要素を備える。
【００１９】
この機械的極性付与要素は、外側ケーシングを二つの非対称部品に分割し、内部ハウジングの相手部品へ連結されることができ、従って、外側ケーシングをその外側ケーシングが内側ハウジングへ正確に組み立てられるように案内される。
【００２０】
本発明の有利な実施形態では、凹所は、断面が実質的に台形である。
【００２１】
本発明の更に有利な実施形態では、内側ハウジングは、更に、コンタクト搬送チャネルの内側に配置された電気コンタクトを備える。これらの電気コンタクトは、対応する雄コンタクト用ハウジングの雄コンタクトへの電気接続を確立するのに適する。
【００２２】
本発明は、更に、コネクタにおける使用のための雄ハウジングに関し、前記雄ハウジングは、接続表面と、少なくとも一つの接続ピンとを備える。この接続表面は、突起を有し、この突起が電気コンタクト用ハウジングの接続面の対応する凹所へ連結されることができる。接続ピンは、電気コンタクト用ハウジングの挿入チャネル内に挿入されることができ、且つ接続表面の突起上に配置される。
【００２３】
本発明の雄ハウジングにおいて、接触舌部や接触ピンは突起部に形成されているので、雄コンタクトの長さは、雄コンタクトと相手部品に収納される電気コンタクトとの間のブラシ接触を減少することなく大きく減少されることができる。短い雄コンタクトは、相手部品の電気コンタクトによって発揮される力のような横方向力に対してより大きな抵抗を提供し、従って、電気コンタクトの品質に対する好影響を有する。長さが減少された雄コンタクトは、不適切な挿入角度によって引き起こされる悪影響を大きく減少する。
【００２４】
好適な実施形態では、ピン用ハウジングは、更に、電気コンタクト用ハウジングに相手部品との連結に適する少なくとも一つの安全要素を備える。
【００２５】
更なる実施形態では、この安全要素が溝又は突起である。
【００２６】
更なる実施形態では、突起は、断面が実質的に台形である。
【００２７】
本発明は、最後に、電気回路用コネクタに関し、前記コネクタは、前述の接続アセンブリとコンタクトピン用ハウジングを備える。
【００２８】
添付の図面は、詳細な説明に組み込まれ、本発明の種々の実施形態を説明するための記述の一部を形成する。これらの図は、本発明の原理をその記述と共に説明するために使用される。それらの図の唯一の目的は、本発明が如何に実施され且つ使用されるかを示す好適で且つ代替の実施形態を説明するためであり、説明され且つ記述されるこれらの例に本発明を制限するものとして解釈されるべきでない。追加の特徴と利点は、添付の図に説明されるように、本発明の種々の実施形態の以下のより詳細な記述から明瞭になり、その図では、
【図面の簡単な説明】
【００２９】
【図１】本発明の一実施形態に従う外側ケーシングの斜視図である。
【図２】本発明の実施形態に従う電気接点用内側ハウジングの斜視図である。
【図３】本発明の一実施形態に従って外側ケーシング及び内側ハウジングから形成された電気接点用雌ハウジング用ユニットの斜視図である。
【図４】本発明の一実施形態に従うピン用ハウジングの断面図である。
【図５】本発明の一実施形態に従う完全に接続された電気コンタクト用ハウジングと雄コンタクト用ハウジングを備えるコネクタユニットの断面図である。
【発明を実施するための形態】
【００３０】
以下の記述において、説明目的で、特定の詳細が本発明の正確な理解を可能とするために提供される。しかしながら、本発明は、そのような特定の詳細なしで実施されることができる。加えて、周知の構造とコンポーネントは、本発明の記述を容易にするために概略的に記述されているに過ぎない。
【００３１】
加えて、以降で使用される用語「電気コンタクト用ハウジング」は、雌ハウジングを指し、他方、用語「雄ハウジング」は電気コンタクト用ハウジングの相手方を指し、前記相手方は、雌ハウジングの電気コンタクトへの接続に適する接続ピンや舌部を備える。最後に、雌コネクタの接続面に形成される凹所は、接続面の厚さ方向に形成された有底穴であってもよい。
【００３２】
本発明で扱われる問題は、雄ハウジングと雌ハウジングを備えるコネクタユニットの従来の設計では、電気コンタクトとピンとの間の必要な最小接触を確保するように長さが８ｍｍを越える接続ピンや舌部のような、雄コネクタの使用を必要とすることの所見に基づいている。そのような長さのピンは撓み、それがピンと雌コンタクト用レセプタクルに収容されたコンタクトとの間の電気接続の品質を低下する。これらの長さが与えられると、従来の雄レセプタクルに収容された雄コンタクトもまた、特にコネクタユニットの接続段階中に破損される。特にコネクタユニットの接続段階中に、雄コンタクトの雌ハウジングの挿入チャネルへの挿入角度の誤差が、コンタクト自体に対する破損や損傷を引き起こす可能性がある。挿入角度の誤差によって引き起こされる影響は、雄コンタクトの長さに伴って増加する。本発明に従って、雌ハウジングの接続面又は雌ハウジングの接続アセンブリの接続面は、凹所を有し、この凹所のベースに、１個以上のガイドコーンが形成され、ガイドコーンは、接続面の外表面を雌ハウジングの電気コンタクトが収容される１個以上の対応する挿入チャネルへ接続する。この実施形態によって、ガイドチャネルが配置される領域において接続面の厚みを減少できる。相手部品として使用される雄ハウジングは、接点ピンが配置される突起を備える。この突起は、それが雌ハウジングの接続面の凹所に入ることができるような断面に成形される。接続ピンが雄ハウジングの接続面に直接には形成されないが、突起上に形成されるので、従来のピンの長さよりも短い長さを有するピンでさえ、雌ハウジングの電気コンタクトに容易に到達することができ、且つ信頼性のある電気接続を確立する。
【００３３】
図１は、本発明の一実施形態に従う外側ケーシング１１０の斜視図である。
【００３４】
この外側ケーシング１１０は、接続面１１１とこの接続面１１１に対して垂直な二つの相互に向かい合った側壁１１２を備える。接続面１１１は、その中心に凹所１２０を備え、その凹所の底部に、２列のガイドコーン１３０が形成されている。各ガイドコーン１３０のエッジ１３１は、接続面１１１の表面に対してより低くなっている。その結果、ガイドコーンのエッジの厚みは、接続面１１の平均厚みよりも少ない。特に、２列のガイドコーン同士間の接続面の厚みは、その２列のガイドコーン１３０を囲む接続面１１１の一部の厚みよりも少ない。
【００３５】
接続面１１１は、更に凹所１２０の各側部に一個配置され且つ接続表面の全長にわたって延在する二つのインデント１１３を備える。インデント１１３は、「こじり」要素の機能を有し、且つ雄ハウジング（図示せず）に含まれる対応する相手部品（図示せず）に係合するのに適する。インデント１１３とその相手部品は、丁度一方向に且つ雌ハウジングがその相手部品に対して正確に配置される時のみに係合されることができ、従って、雌ハウジングとその相手部品が不正確に接続されるのを防止する。
【００３６】
外側ケーシング１１０は、更に、側壁１１２の各々にフック１４０を備え、このフック１４０は、外側ケーシング１１０の内側で外側ケーシング１１０に組み付けられることができる内側ハウジングに向かって延在する。フック１４０は、側壁１１２を二つの非対称部分へ分割するように側壁１１２上に配置される。外側ケーシング１１０を内側ハウジングへ固定することに加えて、フック１４０は、従って、機械的極性付与も提供する。機械的極性付与によって、組み立てのただ一つの可能な方向が画定され、外側ケーシング１１０が他の方法で内側ハウジングへ組み付けられることが防止される。
【００３７】
また、外側ケーシング１１０は、内側ハウジングと外側ケーシングの使用を想定するように設計された既知のコンタクト用ハウジングに組み付けられる接続アセンブリとして使用されてもよい。特に、本発明の外側ケーシング１１０は、既に使用されている雌コンタクト用ハウジングを更新するため適合され且つ使用される。
【００３８】
図２は、本発明の一実施形態に従う電気コンタクト用内側ハウジング２００の斜視図を示す。
【００３９】
雌コンタクト用内側ハウジングは、２列の挿入チャネル２２０、即ちコンタクト搬送チャネルを備え、それらの挿入チャネル２２０は、外側ケーシング１１０が雌ハウジング２００へ組み付けられると、挿入チャネル２２０の各々が各ガイドコーン１３０に対応するように配置される。挿入チャネル２２０の各々は、ガイドコーン１３０の下側孔と一致するエントリー孔２２１を有し、この「下側孔」は、雌ハウジング２００に面するガイドコーンの孔を意味する。電気コンタクト２３０は、各挿入チャネル２２０の壁に固定されている。電気コンタクト２３０の各々は、挿入チャネル２２０の中央部に向かって突出し且つ挿入チャネル２２０の壁に向かう弾性変位に適合する部分２３１を備える。
【００４０】
例えば、挿入チャネル２２０の中央部へ向かって突出する電気コンタクト２３０の部分は、金属フィン２３１であってもよく、これは、変位されると、その元の位置へ戻ることができる。コネクタアセンブリが完全に接続されると、雄コンタクトの各々、例えば、ピンは、雌ハウジングの挿入チャネルの内側へ配置される。この実施形態では、ピンは、金属フィンを挿入チャネルの壁へ向かって押す。金属フィン２３１によりピンに及ぼされる圧力は、ピンとの物理的接触を確保する。
【００４１】
側壁２１２の各々は、エントリー面２１０に対応する端部と一致して、コンタクト搬送チャネル２２０のエントリー孔２２１に向かって側壁２１２に垂直に延在するコンタクトストップ２３２を備える。コンタクトストップ２３２は、コンタクト搬送チャネル２２０内のコンタクト２３０を阻止するように部分的にエントリー孔を覆う。
【００４２】
本発明の雌ハウジング２００の実施形態によって、雄ハウジング内での短いピンの使用が可能となる。短いピンは、雌レセプタクル２００内に収容された金属フィン２３１によって押圧された時に、あまり撓まず、従って、信頼性のある電気接続を確保する。
【００４３】
内側ハウジング２００は、断面が矩形であり、二つの側壁２１２を備える。側壁２１２の各々は、フック１４０と連携するのに適するフック孔、即ち固定孔２４０を備える。この固定孔２４０は、それが側壁２１２を二つの非対称部品に分割するような側壁２１２における位置に配置される。固定孔２４０は、外側ケーシング１１０の横方向壁１１２に形成されたフック１４０と共に、外側ケーシング１１０を内側ハウジング２００へ固定するのを助ける。加えて、固定孔２４０も機械的極性付与のために使用される。機械的極性付与によって、組み立てのただ一つの可能な方向が画定され、外側ケーシング１１０が何らかの他の方法で内側ハウジング２００へ組み付けられることが防止される。
【００４４】
内側ハウジング２００はその断面が矩形であるが、本発明は、この実施形態に限らず、内側ハウジングは、例えば、正方形や円形のような任意の断面形状でよい。その結果、外側ケーシングは、それが内側ハウジングへ組み付けられるようことができる任意の横断面形状を有することができる。
【００４５】
図３は、電気コンタクト用雌ハウジング１００用のユニットの斜視図であり、前記ユニットは、本発明の実施形態に従って外側ケーシング１１０によって及び内側ハウジング２００によって形成される。
【００４６】
外側ケーシング１１０は、接続表面１１１の下側表面が内側ハウジングのエントリー面２１０に載るように配置される。
【００４７】
このように、コンタクト搬送チャネル２２０は、エントリー孔２２１を介して、外側ケーシング１１０の接続表面１１１の下部面上に直接に延在する。従って、内側コンタクトハウジング２００は、ガイドコーンを備えず、実質的に平らなエントリー面２１０を有する。この実施形態は、外側ケーシング１１０を内側ハウジング２００に組み付けることによって得られる雌ハウジング１００の接続面の全体の厚みを減少するのを助ける。
【００４８】
フック１４０は、外側ケーシング１１０を内側ハウジングに安定して固定するように固定孔２４０へ挿入される。また、フック１４０は、第２のストップフックとして使用される。固定孔へ挿入されると、フック１４０は、コンタクト搬送チャネル２２０に挿入された電気コンタクト２３０の下方へ配置される。従って、この実施形態では、フック１４０は、コンタクト２３０が例えば機械的ストレスの結果として移動することを防止する追加の保持力を提供する。
【００４９】
雌ハウジング１００は二つの別個の部品によって、特に内側ハウジング２００によってと外側ケーシング１１０によって、形成されるように記述されたが、この実施形態を参照して記述される利点は、単一の要素によって形成される雌ハウジングを使用して達成されることもできる。特に、外側ケーシング１１０と内側ハウジング２００は、例えば、凹所を備え、凹所の底部に夫々のコンタクト搬送チャネルと直接に連通するガイドコーンが形成されている接続面を有する単一要素に形成される。
【００５０】
図４は、本発明の一実施形態に従うピン用ハウジングの断面図を示す。
【００５１】
ピン用ハウジング、即ちヘッダー３００は、二つの側壁３１２と雌コンタクト１００用ハウジングの接続面１１１に連結されるのに適する接続ベース３１１を備える。接続ベース３１１は、それが接続面１１１の凹所１２０と一致するように配置された突起３２０を備える。この突起３２０は、断面が台形であり、突起３２０の表面は、雌ハウジング１００がヘッダーに関して正確に配置されると、ピン３３０の各々が対応するガイドコーン１３０と一列になるように２列にわたって配置された複数のコンタクトピンを備える。
【００５２】
ヘッダー３００は、更に、側壁３１２の各々と接続ベース３１１との間の高さと一致して接続ベースや表面３１１に配置された二つのこじり要素３１３を備える。こじり要素３１３は、ヘッダーの全長にわたって延在し、尖点のように終端し、且つ接続面１１１のノッチ１１３に係合するように配置される。
【００５３】
尖点要素３１３とノッチ１１３は、一方向のみに係合され、単に、雌ハウジングが相手部品に対して正確に配置される時に、雌ハウジングとその相手部品が不正確に接続されることを防止し、不正確な傾きを有する場合でも、雌ハウジングと雄ハウジングの不正確な又は偶発的な連結の場合、ピンを保護する。図５は、電気コンタクト用ハウジングと雄コンタクト用ハウジングを備えるコネクタユニットの断面図を示し、前記両ハウジングは、本発明の実施形態に従って完全に接続される。
【００５４】
雌ハウジング１００がピン用ヘッダー３００に完全に挿入されると、尖点要素がその全高にわたってノッチ１１３と係合するように接続面１１１のノッチ１１３が、尖点要素３１３の各々の少なくとも一つの面が接続面１１１の一部に完全に当接する方法で尖点要素３１３と係合する。この実施形態は、雌ハウジング１００がヘッダー３００に関して移動することを防止し、従って、接続ピン３３０への損傷及び雌ハウジング１００に収容されたコンタクト２３０への損傷を防止する。こじり要素は、また接続ベース３１１と接続面１１１との間の空間、例えば、計測すると０．５０ｍｍを生成するのを助ける。
【００５５】
接続ベース３１１に形成された突起３２０は、接続ベース３１１に対して上昇している。ヘッダー３００と雌ハウジングは、完全接続されると、ピンを搬送する突起３２０が少なくとも部分的に、外側ケーシング１１０の凹所内へ挿入されるように設計されることができる。このように、この実施形態によって接続ピン３３０の長さを短くできると共に雌ハウジングのコンタクト２３０とピン３３０との間の正確な接触の長さを維持できる。
【００５６】
特に図５に示される実施形態では、突起３２０は、０．７乃至０．８ｍｍだけ接続ベース３１１に対して上昇されており、それによって、接続ピン３３０の長さが少なくとも０．７乃至０．８ｍｍだけ短くできる。ガイドコーン１３０が外側ケーシング１１０の凹所１２０に形成され且つ接続ピン３３０が突起３２０に配置され、その突起が凹所１２０内への部分的挿入に適しているので、接続ピン３３０のベースは、ガイドコーンから０．３ｍｍの距離であり且つエントリー孔２２１から約０．８ｍｍの距離にある。しかしながら、従来のコネクタでは、接続ピンのベースと雌ハウジングのエントリー孔との間の最小距離は、１．５ｍｍよりも大きい。
【００５７】
上で図を参照して記述されたこじり要素は尖点要素とノッチであるが、本発明は、この実施形態に制限されず、こじり要素は、目的に適合する任意の形状のものでよい。
【００５８】
結論として、本発明に従う雌ハウジング１００とピン用ヘッダー３００の設計によって従来のピンの場合の約８ｍｍに比較して、約６．５ｍｍの長さを有するコンタクトピン３３０を使用することが可能となり、同時に、信頼できる電気接続を達成するのに必要な最小のブラシ接触を有することが可能となる。そのような最小のブラシ接触は、略１ｍｍである。図５に示される実施形態では、ピン３３０と雌ハウジング１００のコンタクト２３０との間のブラシ接触は、１．８ｍｍであり、従って、必要な最小ブラシ接触よりもかなり長い。
【００５９】
図５を参照して記述された例は、本発明の概念の特定の用途と本発明に関連する利点を示すためである。しかしながら、この例で開示される特定の詳細、特に寸法は、全く制限しておらず、コネクタのタイプ及び前記コネクタが使用される用途に従って変更してもよい。
【００６０】
上述の実施形態において、明示的にコンタクトピンが参照されるが、これは本発明に対する制限であると考えるべきではなく、それは、コンタクトフィン等のような任意のタイプの雄コンタクトを使用して実施されることができる。
【００６１】
結論として、本発明に従う雌コンタクトとピン用ハウジングのための接続アセンブリによってブラシ接触を最大にすると共にコンタクトピンの長さを減少することが可能となる。これは、ナノＭＱＳタイプのコネクタに対して特に有用であり、そこでは、コンタクトピンが非常に小さな寸法、通常０．４×０．５ｍｍを持つことが必要である。加えて、長さが減少されたピンを有することの可能性によって雄ハウジングの構造を単純化できる。
【符号の説明】
【００６２】
１００        雌ハウジング
１１０        外側ケーシング
１１１        接続面
１１２        外側ケーシングの側壁
１１３        こじり要素
１２０        凹所
１３０        ガイドコーン
１３１        ガイドコーンのエッジ
１４０        機械的極性付与用フック
２００        内側ハウジング
２１０        エントリー面
２１２        内側ハウジングの側壁
２２０        コンタクト搬送チャネル
２２１        挿入チャネルのエントリー孔
２３０        雌コンタクト
２３１        金属フィン
２３２        コンタクトストップ
２４０        固定孔
３００        ピン用ハウジング
３１１        接続ベース
３１２        側壁
３１３        こじり要素
３２０        突起
３３０        コンタクトピン
【図１】
2014531724.tif 000003
【図２】
2014531724.tif 000004
【図３】
2014531724.tif 000005
【図４】
2014531724.tif 000006
【図５】
2014531724.tif 000007
【国際調査報告】
2014531724.tif 000008
2014531724.tif 000009